(57)【要約】【課題】照明、イメージキャプチャ、警報、および自然災害警戒のような複数の機能を提供するために適する照明システムを提供する。【解決手段】イメージキャプチャユニット、ＬＥＤ光源、警報ユニット、および制御盤を具備する照明システムが提供される。制御盤は、イメージキャプチャユニット、ＬＥＤ光源、および警報ユニットに電気的に接続される。上記の照明システムは、照明、イメージキャプチャ、警報、および自然災害警戒のような複数の機能を提供するために、ＬＥＤ光源および他の複数ユニットを制御盤経由で一体化する。【選択図】図１
2009032643.tif 000002
【特許請求の範囲】
【請求項１】
照明システムであって、
イメージキャプチャユニットと、
ＬＥＤ光源と、
警報ユニットと、
前記イメージキャプチャユニット、前記ＬＥＤ光源、および前記警報ユニットに電気的に接続された制御盤と
を具備するシステム。
【請求項２】
前記イメージキャプチャユニットが、ＣＣＤイメージセンサまたはＣＭＯＳイメージセンサを具備する請求項１に記載の照明システム。
【請求項３】
前記警報ユニットが、通信デバイスを具備し、かつ該通信デバイスがオンしたとき、前記制御盤が、前記イメージキャプチャユニットまたは前記ＬＥＤ光源を動作させる、請求項１に記載の照明システム。
【請求項４】
前記通信デバイスが、電話である請求項３に記載の照明システム。
【請求項５】
前記警報ユニットが、通信デバイスを具備し、かつ該通信デバイスがオンしたとき、前記制御盤が、前記イメージキャプチャユニットおよび前記ＬＥＤ光源を動作させる、請求項１に記載の照明システム。
【請求項６】
前記通信デバイスが、電話である請求項５に記載の照明システム。
【請求項７】
前記警報ユニットが、スピーカを具備し、かつ前記制御盤が、警報音を鳴らすために該スピーカを動作させるように構成される、請求項１に記載の照明システム。
【請求項８】
前記警報ユニットが、センサを具備し、かつ前記制御盤が、該センサによって感知された結果に従って、前記イメージキャプチャユニットまたは前記ＬＥＤ光源を動作させるように構成される、請求項１に記載の照明システム。
【請求項９】
前記センサが、光学センサ、音響センサ、振動センサ、動作センサ、または温度センサを具備する請求項８に記載の照明システム。
【請求項１０】
前記警報ユニットが、センサを具備し、かつ前記制御盤が、該センサによって感知された結果に従って、前記イメージキャプチャユニットおよび前記ＬＥＤ光源を動作させるように構成される、請求項１に記載の照明システム。
【請求項１１】
前記センサが、光学センサ、音響センサ、振動センサ、動作センサ、または温度センサを具備する請求項１０に記載の照明システム。
【請求項１２】
前記イメージキャプチャユニット、前記ＬＥＤ光源、前記警報ユニット、および前記制御盤に電気的に接続された電力供給ユニットをさらに具備する請求項１に記載の照明システム。
【請求項１３】
前記電力供給ユニットが、直流電力供給ユニットまたは交流電力供給ユニットを具備する請求項１２に記載の照明システム。
【請求項１４】
前記直流電力供給ユニットが、太陽電池を具備する請求項１３に記載の照明システム。
【請求項１５】
前記電力供給ユニットが、直流電力供給ユニットおよび交流電力供給ユニットを具備する請求項１２に記載の照明システム。
【請求項１６】
前記直流電力供給ユニットが、太陽電池を具備する請求項１５に記載の照明システム。
【請求項１７】
前記制御盤に電気的に接続された無線通信ユニットをさらに具備する請求項１に記載の照明システム。
【請求項１８】
前記無線通信ユニットが、ＧＰＳユニット、３ＧＧＳＭ、３．５ＧＧＳＭ、４ＧＧＳＭ、ＷｉＭＡＸ、ＰＨＳ、またはアナログ無線伝送システムを具備する請求項１７に記載の照明システム。
【発明の詳細な説明】
【技術分野】
【０００１】
本発明は照明システムに関する。より詳細には、本発明は、照明、イメージキャプチャ、警報、および自然災害警戒のような複数の機能を提供することができる照明システムに関する。
【背景技術】
【０００２】
ＬＥＤは半導体デバイスである。発光チップは、例えば、ＧａＰ（リン化ガリウム）、ＧａＡｓ（ガリウム砒素）など、主にIII−Ｖ族化学元素を含む化合物半導体材料で作られており、かつ電気エネルギーを光に変換する原理に基づいて動作する。すなわち、化合物半導体は、光子（光）を放出するために、電子と正孔の結合を介して過剰なエネルギーを解放することで動作する。ＬＥＤは、発熱することなく、または放電せずに、光を放つことができる。従って、ＬＥＤの寿命は１０万時間以上であり、かつアイドリング時間を必要としない。加えて、ＬＥＤは、応答速度が高速（約１０−９秒）、小型、省電力、低公害、高信頼性、および大量生産が容易といった長所を有する。ゆえに、ＬＥＤは、例えば、大型の掲示板、交通信号、携帯電話、スキャナー、ファックスなどにおける光源および照明デバイスとして、多くの分野でよく利用されている。
【０００３】
現在、ＬＥＤの発光輝度および効率は絶えず改善され、かつそれと同時に、高い輝度を備えた白色ＬＥＤが、屋内照明および屋外街灯のような照明デバイスとして次第に使用されるように順調に大量生産の態勢に入っている。しかしながら屋外街灯に関しては、ＬＥＤ街灯は、一般に通行人または管理者に他の付加価値をもたらさない単純な照明機能だけを有するように設計されている。
【発明の開示】
【発明が解決しようとする課題】
【０００４】
本発明は、照明、イメージキャプチャ、警報、および自然災害警戒のような複数の機能を提供するために適する照明システムに関する。
【課題を解決するための手段】
【０００５】
本発明は、イメージキャプチャユニットと、ＬＥＤ光源と、警報ユニットと、制御盤とを具備する照明システムを提供する。上記制御盤は、上記イメージキャプチャユニット、上記ＬＥＤ光源、および上記警報ユニットに電気的に接続されている。
【０００６】
本発明の一実施形態において、上記イメージキャプチャユニットは、ＣＣＤ（Charge Coupled Device）イメージセンサ、ＣＭＯＳ（Complementary Metal-Oxide Semiconductor）イメージセンサ、またはさまざまな状態を感知可能な他のセンサを具備する。
【０００７】
本発明の一実施形態において、上記警報ユニットは、通信デバイスを具備する。上記通信デバイスがオンしたとき、上記制御盤は、上記イメージキャプチャユニットまたは上記ＬＥＤ光源を動作させる。
【０００８】
本発明の一実施形態において、上記警報ユニットは、通信デバイスを具備する。上記通信デバイスがオンしたとき、上記制御盤は、上記イメージキャプチャユニットおよび上記ＬＥＤ光源を動作させる。
【０００９】
本発明の一実施形態において、上記通信デバイスは、電話を具備する。
【００１０】
本発明の一実施形態において、上記警報ユニットは、スピーカ（loudspeaker）を具備し、かつ上記制御盤は、警報音を鳴らすために該スピーカを動作させるように構成される。
【００１１】
本発明の一実施形態において、上記警報ユニットは、センサを具備し、かつ上記制御盤は、該センサによって感知された結果に従って、上記イメージキャプチャユニットまたは上記ＬＥＤ光源を動作させるように構成される。
【００１２】
本発明の一実施形態において、上記センサは、光学センサ、音響センサ、振動センサ、動作センサ、または温度センサを具備する。
【００１３】
本発明の一実施形態において、上記警報ユニットは、センサを具備し、かつ上記制御盤は、該センサによって感知された結果に従って、上記イメージキャプチャユニットおよび上記ＬＥＤ光源を動作させるように構成される。
【００１４】
本発明の一実施形態において、上記センサは、光学センサ、音響センサ、振動センサ、動作センサ、または温度センサを具備する。
【００１５】
本発明の一実施形態において、上記照明システムは、上記イメージキャプチャユニット、上記ＬＥＤ光源、上記警報ユニット、および上記制御盤に電気的に接続された電力供給ユニットをさらに具備する。
【００１６】
本発明の一実施形態において、上記電力供給ユニットは、直流電力供給ユニットまたは交流電力供給ユニットを具備し、また、上記電力供給ユニットは、直流電力供給ユニットおよび交流電力供給ユニットを具備する。
【００１７】
本発明の一実施形態において、上記直流電力供給ユニットは、太陽電池を具備する。
【００１８】
本発明の一実施形態において、上記照明システムは、上記制御盤に電気的に接続された無線通信ユニットをさらに具備する。
【００１９】
本発明の一実施形態において、上記無線通信ユニットは、ＧＰＳ（Global Positioning System）ユニット、３Ｇ（3rd Generation）ＧＳＭ（Global System for Mobile communications）、３．５ＧＧＳＭ、４ＧＧＳＭ、ＷｉＭＡＸ（Worldwide Interoperability for Microwave Access）、ＰＨＳ（Personal Handy-phone System）、またはアナログ無線伝送システムを具備する。
【発明の効果】
【００２０】
本発明は、上記イメージキャプチャユニット、上記ＬＥＤ光源、および警報ユニットを上記制御盤経由で同一の照明システム内に一体化する。ゆえに、上記照明システムは、利用者に多くの付加価値をもたらすために、照明、イメージキャプチャ、警報、および自然災害警戒のような複数の機能を提供できる。
【発明を実施するための最良の形態】
【００２１】
上記ならびに本発明の他の目的、特徴、および長所の理解の助けとするために、図を伴う好適な実施形態が以下に詳細に記載される。
【００２２】
添付する図は、本発明のさらなる理解となることを意図し、ならびに、この明細書に組み込まれ、かつ一部を構成する。図は本発明の実施形態を示し、記載と共に本発明の原理を説明する役目を果たす。
【００２３】
［第１実施形態］
図１は、本発明の第１実施形態による照明システムの概略図である。図１を参照すると、この実施形態における照明システム１００は、イメージキャプチャユニット１２０、ＬＥＤ光源１３０、警報ユニット１４０、および制御盤１１０を具備する。制御盤１１０は、イメージキャプチャユニット１２０、ＬＥＤ光源１３０、および警報ユニット１４０に電気的に接続される。制御盤１１０は、イメージキャプチャユニット１２０、ＬＥＤ光源１３０、および警報ユニット１４０を照明システム１００内に一体化する。照明システム１００は、より豊富かつ実用的な機能を提供できる。
【００２４】
この実施形態において、イメージキャプチャユニット１２０は、ＣＣＤイメージセンサ、ＣＭＯＳイメージセンサ、または他の種類のイメージセンサを具備する。
【００２５】
例えば、図１の右側に示されるように、この実施形態の照明システム１００が街灯として用いられる場合には、その外観は、さまざまな変形例を持つ。照明システム１００中のＬＥＤ光源１３０は、道路上に明かりを提供するために使用され、かつＬＥＤ光源１３０によって提供される明かりの明るさおよび当たり具合は、要求に応じて適切に調節できる。イメージキャプチャユニット１２０は、街灯の周囲の静止画像または動画を撮影するために使用される。例えば、イメージキャプチャユニット１２０は、スピードカメラとして使用でき、撮影環境の明るさが不足しているとき、ＬＥＤ光源１３０は、イメージキャプチャユニット１２０が明瞭な画像を撮影することを保障するためのフラッシュライトとして使用できる。
【００２６】
さらに、警報ユニット１４０は、制御盤１１０によって、警報情報を発信するために制御される。警報ユニット１４０が警報情報を発信するとき、イメージキャプチャユニット１２０およびＬＥＤ光源１３０は、適切な行動をとるために、制御盤１１０によって同時に制御される。例えば、制御盤１１０は、より明確に警報効果を成すために、ＬＥＤ光源１３０の点滅を制御し、または周囲の画像を撮影および記録するために、イメージキャプチャユニット１２０を制御する。他の形態において、警報ユニット１４０が動作するとき、制御盤１１０は、動作している間しばらくは、ＬＥＤ光源１３０を高輝度に持続することができ、イメージキャプチャユニット１２０は、明瞭な画像を撮影できる。留意すべきは、警報ユニット１４０は、さまざまなタイプの電子機器であってよく、第２、第３、第４実施形態を参照して以下に説明される。
【００２７】
［第２実施形態］
図２は、本発明の第２実施形態による照明システムの概略図である。図１および図２を参照すると、この実施形態の照明システム１００ａは、該照明システム１００ａが警報ユニットの代わりに通信デバイス１４２を採用しているという違いを除いては、第１実施形態の照明システム１００に類似している。通信デバイス１４２がオンされたとき、制御盤１１０は、イメージキャプチャユニット１２０またはＬＥＤ光源１３０を動作させ、かつ制御盤１１０は、イメージキャプチャユニット１２０およびＬＥＤ光源１３０を、同時に動かすように動作させることもできる。
【００２８】
この実施形態において、通信デバイス１４２は、例えば、有線または無線通信方式でリモートコントロールセンター２１０に接続されることのできる電話である。例えば、人々が緊急の手助けを要するとき、近くの照明システム１００ａ（例えば街灯）を見つけることができ、かつ、照明システム１００ａ中の電話を介して、リモートコントロールセンター２１０と通信できる。電話機の受話器を持ち上げたとき、制御盤１１０は、初期設定に従い人々の画像を撮影するために、イメージキャプチャユニット１２０をオンし、撮影した画像をリモートコントロールセンター２１０に転送する。言い換えれば、この実施形態の照明システム１００ａは、ＴＶ電話（video phone）の機能を持つ。さらに、人々がリモートコントロールセンター２１０と通信するとき、制御盤１１０は、充分な照明を提供するために、ＬＥＤ光源１３０をオンする。リモートコントロールセンター２１０は、正確な提案および判断を下すための、明瞭な画像を受信できる。上記を踏まえて、この実施形態の照明システム１００ａは、照明機能のならず、緊急援助の機能も有する。
【００２９】
留意すべきは、リモートコントロールセンター２１０の遠隔制御を介して、照明システム１００ａは、泥流、道路の損壊、潮の満ち引き、および津波のような、周辺の変化を能動的に監視することである。これによって、この実施形態の照明システム１００ａは、緊急援助の機能と同様に、環境モニタリングの機能を有する。そのうえ、リモートコントロールセンター２１０の遠隔制御を介して、照明システム１００ａは、辺境地域での交通事故、密輸、または密航のような事例の発生を能動的に監視できる。
【００３０】
［第３実施形態］
図３は、本発明の第３実施形態による照明システムの概略図である。図１および図３を参照すると、この実施形態の照明システム１００ｂは、該照明システム１００ｂが警報ユニット１４０の代わりにスピーカ１４４を採用し、かつ制御盤１１０が警報音を鳴らすためにスピーカ１４４を動作させるように構成されるという違いを除いては、第１実施形態の照明システム１００に類似している。
【００３１】
この実施形態の照明システム１００ｂは、人々の個人の安全を保障するのみならず、社会の安全を向上させることができる。例えば、人々の個人の安全が脅かされるとき、不法行為を通報および阻止するために、近隣の住民の注意を引きつけるように近くの照明システム１００ｂ（例えば街灯）のスピーカ１４４をオンすることができる。より詳細には、スピーカ１４４をオンしたとき、制御盤１１０は、初期設定に従い人々の画像を撮影するために、イメージキャプチャユニット１２０をオンし、撮影した画像をリモートコントロールセンター２１０に転送する。さらにまた、制御盤１１０は、充分な照明を提供するために、ＬＥＤ光源１３０をオンする。リモートコントロールセンター２１０は、正確な提案および判断を下すための、明瞭な画像を受信できる。
【００３２】
留意すべきは、リモートコントロールセンター２１０は、より良い警告効果を成すために、同時に警報音を鳴らすように隣接する他の照明システム１００ｂを遠隔制御できるということである。
【００３３】
［第４実施形態］
図４は、本発明の第４実施形態による照明システムの概略図である。図１および図４を参照すると、この実施形態の照明システム１００ｃは、該照明システム１００ｃが警報ユニット１４０の代わりにセンサ１４６を採用し、かつ該センサ１４６が光学センサ、音響センサ、振動センサ、動作センサ、または温度センサを具備するという違いを除いては、第１実施形態の照明システム１００に類似している。また、制御盤１１０は、センサ１４６によって感知された結果に従って、イメージキャプチャユニット１２０もしくはＬＥＤ光源１３０、またはそれら両方を動作させるように構成される。例えば、照明システム１００ｃが街灯として用いられる場合、センサが明かりの不足（例えば夕暮れの暗がりにおいて）を感知したとき、制御盤１１０は、ＬＥＤ光源１３０の照明機能を自動的にオンし、光学センサによって検知された明るさに従って、ＬＥＤ光源の明るさをさらに調節する。
【００３４】
さらに、センサ１４６が音響センサである場合、センサ１４６は、警笛禁止道路区間でドライバーが自動車のホーンを鳴らしているかどうかを、測定したデシベル値によって判断することが可能になる。センサ１４６が振動センサである場合、センサ１４６は、街灯に自動車や泥流が衝突するような状況において、激しい振動を感知できる。このとき、制御盤１１０は、災害警戒および災害救助、または他の処置に必要な警報を発するために、周囲を調べるためにイメージキャプチャユニット１２０をオンする。
【００３５】
センサ１４６が動作センサである場合、センサ１４６は、自動車の運行速度を検知するために使用され、制御盤１１０は、激しい閃光を発するようにＬＥＤ光源１３０を動作させる。それと同時に、画像を撮影するために、イメージキャプチャユニット１２０をオンする。センサ１４６が温度センサである場合、センサ１４６は、近隣の火災などを原因とする異常な温度上昇を感知する。それと同時に、制御盤１１０は、もし必要なら火災警報の措置を取るために、周囲を調べるためにイメージキャプチャユニット１２０をオンする。通常、この実施形態の照明システム１００ｃは、インテリジェント照明、交通保安、および災害警戒などの複数の機能を有する。
【００３６】
［第５実施形態］
図５は、本発明の第５実施形態による照明システムの概略図である。図１および図５を参照すると、この実施形態の照明システム１００ｄは、該照明システム１００ｄがイメージキャプチャユニット１２０、ＬＥＤ光源１３０、警報ユニット１４０、および制御盤１１０に電気的に接続された電力供給ユニット１５０をさらに具備するという違いを除いては、第１実施形態の照明システム１００に類似している。電力供給ユニット１５０は、直流電力供給ユニット１５２もしくは交流電力供給ユニット１５４、またはその両方を具備する。直流電力供給ユニット１５２は、太陽電池を具備する。電力供給ユニット１５０がイメージキャプチャユニット１２０、ＬＥＤ光源１３０、警報ユニット１４０、制御盤１１０、および照明システム中の他の電子デバイスに電力を供給するので、照明システム１００は、完全な、または部分的な電力自給能力を有し、人里離れた山岳地域や沖合の島々のような電力システムが利用できない場所のために構成される。
【００３７】
［第６実施形態］
図６は、本発明の第６実施形態による照明システムの概略図である。図５および図６を参照すると、この実施形態の照明システム１００ｅは、該照明システム１００ｅが警報ユニットの代わりにセンサ１４６を採用し、かつ制御盤１１０に電気的に接続された無線通信ユニット１６０をさらに具備するという違いを除いては、第５実施形態の照明システム１００ｄに類似している。無線通信ユニット１６０は、ＧＩＳ（Graphic Information System）を設けたＧＰＳユニット、３ＧＧＳＭ、３．５ＧＧＳＭ、４ＧＧＳＭ、ＷｉＭＡＸ、ＰＨＳ、またはアナログ無線伝送システムを具備する。無線通信ユニット１６０は、無線通信方式でリモートコントロールセンター２１０と通信するために、街灯を動作させ、かつその情報を大容量かつ高速で伝送できる。
【００３８】
例えば、センサ１４６が光学センサであり、光の強さが設定された値より弱いか、または強いかを感知するならば、制御盤１１０は、無線通信ユニット１６０の３ＧＧＳＭ機能をオンし、無線通信方式でリモートコントロールセンター２１０に情報を転送する。それと同時に、リモートコントロールセンター２１０は、同じ区域（例えば同じ通り）にある照明システム１００ｅが部分的に点灯または消灯されないように、通りの照明システム１００ｅを全て点灯するか、または消灯するかを決定するために、同じ通りにある照明システム１００ｅ（街灯）から戻った全ての情報を収集する。
【００３９】
他の実施例では、無線通信ユニット１６０がＧＰＳである場合、ＧＰＳユニットは、盗難、自然災害、または他の理由が原因と思われる照明システム１００ｅの異常な位置変化を感知する。それと同時に、制御盤１１０は、リモートコントロールセンター２１０に警報情報を転送するために、無線通信ユニット１６０を動作させ、かつ周囲を調べるために画像を撮影するためにイメージキャプチャユニット１２０を動作させるように構成される。ゆえにまた、この実施形態の照明システム１００ｅは、防犯および自然災害警戒の機能を有する。
【００４０】
本発明は、照明、イメージキャプチャ、警報、および自然災害警戒のような複数の機能を備える照明システムを実現するために、イメージキャプチャユニット、ＬＥＤ光源、および警報ユニットを、制御盤を介して一体化する。それによって、本発明の照明システムは、さまざまな状況下で、さまざまな付加価値をもたらすことができ、広い応用の範囲を有する。
【００４１】
本発明の範囲または精神から逸脱することなく、さまざまな修正および変更を本発明の構成物に加えることが可能であることは、当業者には明白である。上記を考慮して、本発明は、特許請求の範囲およびその均等物の範囲に含まれるものを提供する本発明の修正および変更を包含する、ということを意図する。
【図面の簡単な説明】
【００４２】
【図１】本発明の第１実施形態による照明システムの概略図である。
【図２】本発明の第２実施形態による照明システムの概略図である。
【図３】本発明の第３実施形態による照明システムの概略図である。
【図４】本発明の第４実施形態による照明システムの概略図である。
【図５】本発明の第５実施形態による照明システムの概略図である。
【図６】本発明の第６実施形態による照明システムの概略図である。
【符号の説明】
【００４３】
１００  照明システム
１１０  制御盤
１２０  イメージキャプチャユニット
１３０  ＬＥＤ光源
１４０  警報ユニット
【図１】
2009032643.tif 000003
【図２】
2009032643.tif 000004
【図３】
2009032643.tif 000005
【図４】
2009032643.tif 000006
【図５】
2009032643.tif 000007
【図６】
2009032643.tif 000008